(57)【要約】 【課題】  電力の供給を行う電源が互いに独立であるプレーヤとレコーダが備えられ、プレーヤからの再生のデータをレコーダが記録する再生・記録装置において、プレーヤの再生したデータをレコーダが不足なく記録し、且つ、操作が煩雑にならずにタイムリーにレコーダへの電力供給を停止させて省電力を図ることを目的とする。【解決手段】  プレーヤ２に電力を供給する再生用電源３と、レコーダ４に電力を供給する記録用電源５を互いに独立に機能する構成とし、且つ、レコーダ４が記録用媒体１６への記録の終了を検知した際に、記録用電源５からの電力供給を遮断する電源遮断制御部をシステムコントローラ６に備えて構成した。選択図：図１【特許請求の範囲】
【請求項１】
再生用媒体の再生を行うプレーヤに電力を供給する再生用電源と、
前記プレーヤから出力される再生信号に応じて記録用媒体への記録を行うレコーダに電力を供給する記録用電源と、
前記再生信号に応じた前記記録用媒体への記録中に、上記レコーダの記録用媒体への記録の終了を検知した際に、前記記録用電源からの電力供給を遮断する電源遮断制御部が具えられてなる再生・記録装置。
【請求項２】
再生用電源と記録用電源は、一次側コイルを共通にするトランスにおいて二次側コイルの側から互いに独立して電力の供給を受ける構成の請求項１に記載の再生・記録装置。
【請求項３】
プレーヤが再生用媒体から電気信号を再生してレコーダに送出し、その電気信号をレコーダが記録用媒体に記録している際に、再生用電源と記録用電源の少なくとも一方の出力をＯＦＦにしても、電源遮断制御部が、レコーダの記録が終了するまで少なくとも記録用電源の出力をＯＮに保持するように制御を行う請求項１に記載の再生・記録装置。  
【発明の詳細な説明】
【技術分野】
【０００１】
この発明は、再生用媒体からをデータを再生するプレーヤ及び記録用媒体にデータを記録するレコーダと、更に、前記プレーヤに電力を供給する再生用電源及び前記レコーダに電力を供給する記録用電源が備えられてなる再生・記録装置に関する。
特に、再生用電源と記録用電源が互いに独立である再生・記録装置に関する。
ここで、「再生用電源と記録用電源が互いに独立である」とは、再生用電源のＯＮ／ＯＦＦと記録用電源のＯＮ／ＯＦＦが互いに独立しており、一方のＯＮ／ＯＦＦが他方のＯＮ／ＯＦＦに影響を与えない・影響を受けないことを意味する。
【０００２】
尚、ここで再生・記録装置とは、プレーヤとレコーダが一体に構成されたもの及び互いに別体に構成されたものを共に含んでいる。
又、再生される側の再生用媒体と記録される側の記録用媒体の組み合わせとして、ＣＤディジタルオーディオ（以下、「ＣＤＤＡ」と称する。）とミニディスク（以下、「ＭＤ」と称する。）、ＭＤとＭＤ、ＣＤＤＡとカセットテープ、カセットテープとカセットテープ、ＣＤＤＡとＣＤ−Ｒ／ＲＷ、ＣＤ−Ｒ／ＲＷとＣＤ−Ｒ／ＲＷなどが挙げられる。
【背景技術】
【０００３】
プレーヤとレコーダが互いに別体に構成されている再生・記録装置においてそれらプレーヤとレコーダをケーブルで接続し、或いは、互いに独立のプレーヤ装置とレコーダ装置をケーブルで接続し、プレーヤの側で再生が開始及び完了するとこれに対応してレコーダの側で記録の開始及び記録の停止とさせるシンクロ記録モードという使い方が知られている。
再生・記録装置のシンクロ記録モードの使用としては、以下の文献で開示されている。
【０００４】
【非特許文献１】株式会社デノンコンシューマーマーケッティングが販売のＣＤレシーバー「ＲＣＤ−Ｍ３３」の取扱説明書
【発明の開示】
【発明が解決しようとする課題】
【０００５】
同取扱説明書第５３頁に、シンクロ記録モードの機能が開示されている。
斯かるシンクロ記録モードを機能させると、プレーヤの側が再生用媒体を再生すると、レコーダが自動的に前記プレーヤで再生された電気信号の記録を開始し、プレーヤが１トラック又は全トラックの再生を終了すると、プレーヤ及びレコーダは自動的に終了状態になる。
又、プレーヤ側の電源をＯＦＦにすると、レコーダ側の電源が自動的に連動してＯＦＦになる機能を奏する。
【０００６】
他方、プレーヤが再生して得られる電気信号をレコーダの側に送っている最中では、例え記録用電源に出力をＯＦＦにする操作を行っても、このＯＦＦの操作は無効と見なされて記録用電源がＯＦＦにならないに機能させることが可能である。つまり、記録用電源はＯＮの状態が続き、レコーダの記録の機能が継続する。
そして、レコーダがプレーヤの側から再生用媒体に係る電気信号の受け取りを終了し記録を行う必要がない状態になっているにも拘わらず、記録用電源はＯＮの状態を続けることになる。
【０００７】
従って、使用者は、プレーヤが再生用媒体に基づく電気信号のレコーダへの送出を終えてレコーダがその電気信号の記録の終了したことを確認し、その後に、記録用電源をＯＦＦにする必要があるという取り扱い上の煩雑な問題があった。
又、プレーヤの側から電気信号の送出が終了していても、使用者はタイムリーに記録用電源をＯＦＦにすることができず、記録用電源にＯＦＦの操作を行うまではＯＮの状態が続くので、その間、記録用電源は無駄な電力をレコーダに供給することになり、省電力に反するという問題があった。
【０００８】
この問題に対して、レコーダにスリープタイマを組み合わせることによって、記録用電源を自動的にＯＦＦにする構成が考えられる。
しかしながら、レコーダにスリープタイマを組み合わせる構成では、プレーヤが再生すべき再生用媒体の再生時間が不明であれば、スリープタイマの設定時間が記録に必要な時間より不足する場合には結果的にレコーダがプレーヤからの全ての電気信号を記録することができず、スリープタイマの設定時間が記録に必要時間を超過する場合には結果的にレコーダがプレーヤからの全ての電気信号を記録できるが記録用電源が無駄なＯＮ状態となって省電力に反するということになる。
【０００９】
つまり、レコーダにスリープタイマを組み合わせる構成では、予めレコーダの作動させるべき時間が予め確実に分かっていれば、当該スリープタイマを用いることによってレコーダへの電力供給をタイムリーにＯＦＦすることに問題はない。
しかしながら、再生用媒体の内容が例えば音楽等であれば再生に要する時間は予め知ることのできるが、プレーヤが再生に要する時間とレコーダが記録に要する時間が厳密に一致することは希であるから、レコーダが記録に要する正確な時間を予め知ることはできない。
【００１０】
よって、レコーダで記録を行うのに要する正確な時間を予め知り得ることは殆どないので、実際問題として、スリープタイマに過不足ない正確な終了時間を設定することは難しく、結果的に記録漏れと反省電力のリスクが伴うという問題が残ることになる。
更に、例えレコーダで記録を行う時間が予め分かる場合であっても、ユーザはその都度その記録に要する正確な時間を把握しなければならず、且つ、その記録に要する時間をスリープタイマにその都度設定する必要があり、使用者にとって操作が煩雑であるという問題が生じる。
【００１１】
この発明は上記の事情に鑑みてなされたものであり、プレーヤが再生用媒体から再生した電気信号を送出し、レコーダがその電気信号を記録用媒体に記録し、且つ、レコーダが前記電気信号の記録用媒体への記録を終了すると記録用電源がＯＦＦになる構成の再生・記録装置を提供するものである。
つまり、再生・記録装置において、記録用電源のＯＦＦ操作が簡便であって且つ省電力が得られるように、レコーダが電気信号の記録を終了するとタイムリーに記録用電源がＯＦＦとなることを目的とする。
【課題を解決するための手段】
【００１２】
この発明は、レコーダがプレーヤからの再生の電気信号の記録を終了すると、記録用電源の出力を終了するように構成した再生・記録装置である。
その詳細な構成は、再生用媒体の再生を行うプレーヤに電力を供給する再生用電源と、
前記プレーヤから出力される再生信号に応じて記録用媒体への記録を行うレコーダに電力を供給する記録用電源と、前記再生信号に応じた前記記録用媒体への記録中に、上記レコーダの記録用媒体への記録の終了を検知した際に、前記記録用電源からの電力供給を遮断する電源遮断制御部が具えられてなる再生・記録装置である。
【００１３】
尚、プレーヤ及びレコーダに係る電源は、具体的に、共に電池である場合、一方が電池で他方が家庭電源である場合、家庭電源からの電力を共通する一次側コイルで受けるトランスであって二次側コイルの出力が互いに独立している場合等が挙げられる。
又、この発明の再生・記録装置は、プレーヤが再生用媒体から電気信号を再生してレコーダに送出し、その電気信号をレコーダが記録用媒体に記録している際に、再生用電源と記録用電源の少なくとも一方の出力をＯＦＦにしても、電源遮断制御部が、レコーダの記録が終了するまで少なくとも記録用電源の出力をＯＮに保持する制御機能を付加する構成が考えられる。
【００１４】
更に、この発明の再生・記録装置は、プレーヤがデータの再生を終了する又はレコーダがデータの記録を終了して記録用電源がレコーダへの電力の供給を遮断（ＯＦＦ）すると、省電力を図るように再生用電源の出力をＯＦＦにする制御機能を付加する構成が考えられる。
加えて、電源遮断制御部は具体的に、装置全体の制御を行うシステムコントローラに組み込まれた構成が挙げられる。
【発明の効果】
【００１５】
この発明は、レコーダがプレーヤからの再生の電気信号の記録を終了すると、電源遮断制御部が記録用電源の出力を遮断して終了させるので、プレーヤの側からの再生した電気信号は全てレコーダによって記録用媒体に記録されて記録漏れといういうことがなく、且つ、レコーダの記録機能が終了すると記録用電源がＯＦＦになるので省電力が確保される構成の再生・記録装置である。
【発明を実施するための最良の形態】
【００１６】
この発明を、図面に示す最良の形態に基づき説明する。しかし、この形態によって、この発明が限定されるものではない。
再生・記録装置１は、図面に示すように、プレーヤ２と、再生用電源３と、レコーダ４と、記録用電源５と、システムコントローラ６と、信号処理部７と、操作部８と、記憶部９と、表示部１０が備えられている。
【００１７】
プレーヤ２は、再生用媒体１１の再生、つまり、再生用媒体１１に記録されているデータを読み取って電気信号に変換して出力するものである。
プレーヤ２は、再生用媒体１１を載置して回転するターンテーブル１２と、ターンテーブル１２に回転力を与えるスピンドル・モータ１３と、再生用媒体１１にデータ読み取り用のレーザ光を照射して、再生用媒体１１に記録されているデータを読み取るピックアップ１４と、ピックアップ１４をターンテーブル１２の軸線に対してラジアル方向にスライドさせるためのスレッド・モータ１５と、ピックアップ１４をターンテーブル１２の軸線に対してラジアル方向に微調節スライドさせるためのプレーヤ・ラッド・リニアモータ（図示省略）と、ピックアップ１４を再生用媒体１１に対してフォーカス方向にスライドさせるプレーヤ・フォーカス用リニアモータ（図示省略）が備えられている。
【００１８】
尚、再生用媒体１１は、ここでは具体的にＣＤＤＡが挙げられる。
又、ピックアップ１４の側にはラック・ギァ（図示省略）が、装置本体に固定のスレッド・モータ１５の側にはピニオン・ギァ（図示省略）がそれぞれ備えられ、それらラック・ギァとピニオン・ギァの共動によってピックアップ１４がターンテーブル１２の軸線に対してラジアル方向にスライドする構成になっている。
【００１９】
再生用電源３は、プレーヤ２が再生用媒体１１からデータを再生する際に必要とする電力を供給するものであり、具体的には、スピンドル・モータ１３と、ピックアップ１４と、スレッド・モータ１５と、前記プレーヤ・ラッド・リニアモータと、前記プレーヤ・フォーカス用リニアモータ等に電力の供給を行う。
再生用電源３は、システムコントローラ６によってプレーヤ２への電力の供給が制御される構成になっている。
【００２０】
レコーダ４は、記録用媒体１６へのデータの記録、つまり、プレーヤ２が再生用媒体１１から再生したデータを記録用媒体１６に記録するものである。
レコーダ４は、記録用媒体１６を載置して回転するターンテーブル１７と、ターンテーブル１７に回転力を与えるスピンドル・モータ１８と、記録用媒体１６にデータ書き込み用のレーザ光を照射し、記録用媒体１６にデータを書き込むライタ１９と、ライタ１９をターンテーブル１７の軸線に対してラジアル方向にスライドさせるためのスレッド・モータ２０と、ライタ１９をターンテーブル１７の軸線に対してラジアル方向に微調節スライドさせるためのレコーダ・ラッド・リニアモータ（図示省略）と、ピックアップ１４を再生用媒体１１に対してフォーカス方向にスライドさせるレコーダ・フォーカス用リニアモータ（図示省略）が備えられている。
尚、記録用媒体１６は、ここでは具体的に、ＭＤが挙げられる。
【００２１】
記録用電源５は、レコーダ３が記録用媒体１１にデータを記録する際に必要とする電力を供給するものであり、具体的には、スピンドル・モータ１８と、ライタ１９と、スレッド・モータ２０と、前記レコーダ・ラッド・リニアモータと、前記レコーダ・フォーカス用リニアモータ等に電力の供給を行う。
記録用電源５は、システムコントローラ６によってレコーダ４への電力の供給が制御される構成になっている。
尚、再生用電源３と記録用電源５は、一次側コイルを共通にするトランス（図示省略）において二次側コイルから互いに独立して電力の供給を受ける構成になっている。
【００２２】
システムコントローラ６は、操作部８からの操作内容に対応して、再生・記録装置１の全体の作動の制御を行うものである。
つまり、システムコントローラ６は具体的には、操作部８から入力される電源のＯＮ／ＯＦＦ、再生、停止、設定内容の記憶等の操作命令信号の処理、プレーヤ２に電力を供給する再生用電源３の制御、レコーダ４に電力を供給する記録用電源５の制御、信号処理部７で得られたデータつまり再生用媒体１１のデータ再生の位置、レコーダ４の側へのデータに係る電気信号の送出の有無の解析結果の入力の処理等が挙げられる。
【００２３】
尚、上記の「操作部８から入力される設定内容の記憶の操作命令信号の処理」とは、レコーダ４の記録機能が終了するまで記憶用電源５からレコーダ４に電力を供給し続けてレコーダ４の記録機能が終了すると記憶用電源５がレコーダ４に電力を供給することを停止する設定の記憶部９への記憶つまり上記電源遮断制御部の機能の記憶部９への記憶、プレーヤ２が再生用媒体１１の再生が終了すると再生用電源３のプレーヤ２への電力の供給の停止の命令の記憶部９への記憶等が挙げられる。
又、プレーヤ２に電力を供給する再生用電源３の制御とは、スピンドルモータ１３、ピックアップ１４、スレッド・モータ１５、前記プレーヤ・ラッド・リニアモータ及び前記プレーヤ・フォーカス用リニアモータ等の電力供給による出力制御をいう。
【００２４】
同様に、レコーダ４に電力を供給する記録用電源５の制御とは、スピンドル・モータ１８、ライタ１９、スレッド・モータ２０、前記レコーダ・ラッド・リニアモータ及び前記レコーダ・フォーカス用リニアモータ等の電力供給による出力制御をいう。
信号処理部７は、プレーヤ２のピックアップ１４とレコーダ４のライタ１９の間に介在され、ピックアップ１４が再生用媒体１１から読み出して得たデータの電気信号をライタ１９に送るものである。
【００２５】
つまり、信号処理部７は具体的に、再生用媒体１１のＣＤＤＡの信号形式を記録用媒体１６のＭＤの信号形式に変換、再生用媒体１１のデータ再生をしている位置、レコーダ１９の側への送出信号の出力有無の情報の抽出を行うものである。
尚、再生・記録装置１にモニター音声を出力する機能を持たせ、信号処理部７からモニター音声用の出力を得る場合等においては、必要に応じて、Ｄ／Ａ変換及びＡ／Ｄ変換の機能を備える構成が挙げられる。
【００２６】
操作部８は、使用者が再生・記録装置１に所望通りに機能させるための操作を行うためのものであり、具体的には、メイン電源のＯＮ／ＯＦＦの操作、プレーヤ２に再生用媒体１１からデータの再生をさせるための操作、レコーダ４に記録用媒体１６にデータの記録をさせるための操作、表示部１０に再生・記録装置１の現在の機能状態、設定した内容の確認事項等を表示させるための操作等を行う際に、入力部となるものである。
記憶部９は、システムコントローラ６の機能を助けるために予め蓄るべきデータと、操作部８によって入力された新たな操作内容のデータと、機能中に生じるデータを記憶するものである。
【００２７】
表示部１０は、再生・記録装置１の現在の機能状態、操作部８で設定した内容の確認事項等を表示するものである。
この表示の内容の具体的な内容は、メイン電源のＯＮ状態の表示、プレーヤ２の再生機能の状態及び再生開始からの経過時間の表示、再生用媒体１１の種類の表示、プレーヤ２から再生に係る電気信号がレコーダ４に送出されていればその旨を示す表示、レコーダ４の記録機能の状態及び記録開始からの経過時間の表示、記録用媒体１６の種類の表示、プレーヤ２が再生用媒体１１からデータを再生すると、連動して、そのデータをレコーダ４が記録用媒体１６に記録するようにセットされている旨の表示、プレーヤ２からの再生のデータの送出が終了しその後にレコーダ４の記録機能が終了すると記録用電源５がＯＦＦになるセットがされている旨の表示等が挙げられる。
【００２８】
加えて、システムコントローラ６には、プレーヤ２が再生用媒体１１からデータを再生してそれを電気信号でレコーダ４に送出し、レコーダ４はプレーヤ２からの電気信号を受けて記録用媒体１６に記録している際に、プレーヤ２が再生用媒体１１からのデータの再生を終え、レコーダ４が記録用媒体１６へのデータの記録の終了が検知されると、記録用電源５からレコーダ４への電力供給を遮断して停止（ＯＦＦ）する電源遮断制御部（図示省略）が具えられている。
尚、レコーダ４の記録用媒体１６への記録の終了を検知する具体的な方法として、信号処理部７が、プレーヤ２からの再生データに係る電気信号で再生が終了したことを示すマークを読み取ったことに基づきレコーダ４の記録機能の終了時間を算出して記録の終了と見なす方法が挙げられる。
【００２９】
他に、レコーダ４が、プレーヤ２の側からの再生データに係る電気信号の入力が終了したことを感知することによる方法、プレーヤ２の側から再生データに係る電気信号が出力されなくなつたことを信号処理部７が感知することに基づくことによる方法が挙げられる。
【００３０】
再生・記録装置１は、上述したように記載されている。以下において、図２のフローチャートと共に、再生・記録装置１の機能を説明する。  
使用者は、プレーヤ２の側のターンテーブル１２に再生用媒体１１を載置し、且つ、レコーダ４の側のターンテーブル１７に記録用媒体１６を載置する。
続いて、操作部８を操作して、メイン電源をＯＮとした後、プレーヤ２で再生用媒体１１を再生し、その再生したデータをレコーダ４で記録用媒体１６に記録させ、且つ、レコーダ４がプレーヤ２で再生したデータを記録用媒体１６に記録し終えたら、記録用電源５のレコーダ４への電力の供給をＯＦＦとするように設定を行う。
【００３１】
使用者は、この設定の内容を表示部１０から目で見て確認する。
ここで、再生・記録装置１はスタンバイ状態となって、システムコントローラ６の機能により、上記トランスの一次側コイルに家庭電気の電力が供給され、再生用電源３はプレーヤ２への電力の供給及び記録用電源５はレコーダ４への電力の供給が共に可能な状態になっている。
又、記憶部９には、レコーダ４の記録機能が終了するまで記録用電源５からレコーダ４に電力の供給がＯＮ状態を続け、レコーダ４が記録機能している際に例え操作部８から記録用電源５の電力供給をＯＦＦとなるように操作しても、記録用電源５のレコーダ４への電力供給がＯＦＦとならない旨の設定（制御）が記憶されている。
【００３２】
続いて、使用者は操作部８で機能開始のためのスタートスイッチ（図示省略）をＯＮにする。ここで、再生・記録装置１の機能は開始される（フローチャートにおいてＳ１）。
具体的に、システムコントローラ６は、再生用電源３がプレーヤ２にデータ再生の機能に必要とする電力を供給するように、再生用電源３に制御信号を送る。再生用電源３は、プレーヤ２にデータ再生の機能に必要な電力を供給する（同Ｓ２）。
【００３３】
ここで、プレーヤ２において、再生用電源３から、スピンドル・モータ１３と、ピックアップ１４と、スレッド・モータ１５と、前記プレーヤ・ラッド・リニアモータと、前記プレーヤ・フォーカス用リニアモータ等に機能を行うに必要な電力が供給される。
尚、この時、上述したように、上記トランスの一次側コイルは電力の供給を受けているから、再生用電源３はプレーヤ２への電力の供給が可能な状態になっている。
【００３４】
又、システムコントローラ６は同様に、記録用電源５がレコーダ４のデータ記録の機能に必要とする電力を供給するように、記録用電源３に制御信号を送る。記録用電源３は、レコーダ４にデータ記録の機能に必要な電力を供給する（同Ｓ３）。
ここで、レコーダ４において、記録用電源５から、スピンドル・モータ１８と、ライタ１９と、スレッド・モータ２０と、前記レコーダ・ラッド・リニアモータと、前記レコーダ・フォーカス用リニアモータ等に機能を行うに必要な電力が供給される。
尚、この時、上述したように、上記トランスの一次側コイルは電力の供給を受けているから、記録用電源５はレコーダ４への電力の供給が可能な状態になっている。
【００３５】
プレーヤ２において再生用電源３から必要な電力が供給されると、ピックアップ１４が再生用媒体１１に対する相対的な位置を求めるために再生用媒体１１に対してレーザ光の照射を開始し、続いて、スレッドモータ１５、上記プレーヤ・ラッド・リニアモータ及び上記プレーヤ・フォーカス用リニアモータが出力して、ピックアップ１４が再生用媒体１１からデータを読み取るためのスタートの位置を求める。
ここで、ピックアップ１４がスタートの位置を得ると、スピンドル・モータ１３が出力してターンテーブル１２を回転するので、ターンテーブル１２に載置された再生用媒体１１も同じく回転を始める。
【００３６】
ピックアップ１４は、再生用媒体１１からデータを光学的に読み取ると電気信号に変換し、信号処理部７に送る。
信号処理部７は、ピックアップ１４から再生用媒体１１のデータに係る電気信号を受け取ると、再生用媒体１１からの信号の形式を記録用媒体１６の信号の形式に変換してライタ１９の側に送り、再生用媒体１１のデータ再生をしている位置とレコーダ１９の側への送出信号の出力有無の情報の抽出してシステムコントローラ６に送る。
【００３７】
この状態において、レコーダ４の側で記録用電源５から機能に必要な電力の供給を受けると、ライタ１９が記録用媒体１６に対する相対的な位置を求めるために記録用媒体１６に対してレーザ光の照射を開始し、続いて、スレッドモータ２０、上記レコーダ・ラッド・リニアモータ及び上記レコーダ・フォーカス用リニアモータが出力して、ライタ１９が記録用媒体１６からデータを書き込むためのスタートの位置を求める。
ここで、ライタ１９は、記録用媒体１６に対して書き込みのためのスタートの位置を得て、信号処理部７を介しての再生用媒体１１のデータに係る電気信号を受け取ると、その電気信号をレーザ光に変換して記録用媒体１６に書き込みを開始する。
【００３８】
ライタ１９が記録用媒体１６に再生用媒体１１からのデータを書き込んでいる際に、記録用媒体１６にシーケンス的にデータを書き込むように、記録用媒体１６を載置しているターンテーブル１７を回転させるべくスピンドル・モータ１８が出力する。
ここで、使用者が、再生用媒体１１のデータがまだ記録用媒体１６に記録され終わっていないにも拘わらず、誤って再生用媒体１１のデータは既に記録用媒体１６に記録されたと受け取って、記録用電源５のレコーダ４への電力の供給を停止しようと操作部８を操作する。
【００３９】
ここで、操作部８から、使用者の意図の記録用電源５のレコーダ４への電力の供給を停止する旨の信号がシステムコントローラ６に送られる（同Ｓ４）。
システムコントローラ６は、操作部８からの記録用電源５のレコーダ４への電力の供給を停止する旨の信号に基づき、現行のレコーダ４の出力について記憶部９に記憶された最初の設定の内容を読み出す（同Ｓ５）。
【００４０】
記憶部９に記憶されている最初の設定の内容は、上述したように、レコーダ４の記録機能が終了するまで記録用電源５からレコーダ４に電力の供給がＯＮ状態を続け、レコーダ４の記録機能の際に操作部８から記録用電源５の電力供給をＯＦＦとなるように操作されても記録用電源５のレコーダ４への電力供給がＯＦＦとならない旨であるから、システムコントローラ６は、記録用電源５のレコーダ４への電力の供給を継続し、且つ、使用者の記録用電源５のレコーダ４への電力供給を停止するという操作は受け付けない旨を表示部１０に表示する（同Ｓ６）。
レコーダ４は、記録用電源５からの電力の供給が継続保持されているので記録用媒体１６へのデータの書き込みを継続し、再生用媒体１１からのデータの書き込みに欠落が生じるという問題は起こらない。
【００４１】
再生・記録装置１において、再生用媒体１１のデータの記録用媒体１６への書き込みが進んで、ピックアップ１４が再生用媒体１１から最後のデータを読み取ると、プレーヤ２が再生データに係る電気信号の再生が終了したことを示すマークを信号処理部７に送出しする。
信号処理部７はその終了のマークを読み取ると、プレーヤ２が再生データに係る電気信号で再生が終了したことを示すマークを読み取り、その旨をシステムコントローラ６に送る（同Ｓ７）。
【００４２】
システムコントローラ６は、再生用媒体１１のデータが全てレコーダ４の側に送られたことを検知すると、記憶部９に記憶されている再生用媒体１１の末尾のデータがレコーダ４に送られてからその再生用媒体１１の末尾のデータが記録用媒体１６に記録するまでに要する時間を記憶部９から読み出す。
システムコントローラ６つまり前記電力遮断制御部は、斯かる再生用媒体１１のデータが全てレコーダ４の側に送られたことの検知と記憶部９から読み出した時間に基づいて記録用電源５のレコーダ４への電力の供給を停止するように機能する。
【００４３】
ここで、レコーダ４は記録機能を終了し、その後、記録用電源５のレコーダ４への電力の供給は停止する（同Ｓ８）。
使用者は、プレーヤ２で他にデータを再生することがないので、操作部８を操作して、再生用電源３からプレーヤ２への電力の供給を停止する（同Ｓ９）。
再生・記録装置１は、実質的に機能の終了状態となる（同Ｓ１０）。
【００４４】
再生・記録装置１では、上述したように、記録用媒体１６への再生用媒体１１のデータの書き込みは再生用媒体１１の末尾のデータまで行われるから、記録法媒体１６へのデータの書き込みで欠落が生じることはない。
【００４５】
又、再生・記録装置１では、再生用媒体１１のデータの記録用媒体１６への書き込みを終了するとシステムコントローラ６が記録用電源５のレコーダ４への電力の供給が自動的に停止されるので、使用者にとっては、再生用媒体１１のデータの全てが記録用媒体１６への書き込みを終了したか否かの確認を行った後に記録用電源５のレコーダ４への電力の供給を停止する必要がなく取り扱いが簡便である。
更に、再生・記録装置１は、再生用媒体１１のデータの記録用媒体１６への書き込みの終了するとタイムリーで確実に記録用電源５のレコーダ４への電力供給が停止されるので、記録用電源５のレコーダ４への電力供給に対して高い省電力性が得られている。
【００４６】
加えて、再生・記録装置１では、再生用電源３と記録用電源５は、一次側コイルを共通にするトランスであって互いに独立した二次側コイルから電力を受けてそれぞれプレーヤ２とレコーダ４に電力を供給する構成である。
が、例えば、プレーヤ２の側とレコーダ４の側が互いに独立した装置であってその二つの装置を接続して使用する構成においてはプレーヤ２とレコーダ４が異なるトランスからそれぞれ電力の供給を受ける構成、いずれか一方が独立電源で他方がトランスを介した家庭電源、互いに独立した独立電源の構成であってもよい。
【００４７】
再生・記録装置１では、レコーダ４が記録用媒体１６にデータの記録を終了すると記録用電源５の電力の供給がＯＦＦ（遮断）になる構成であるが、プレーヤ２が再生用媒体１１からのデータの読み取りを終了すると、再生用電源３のプレーヤ２への電力の供給が遮断（ＯＦＦ）する機能を付加することも可能である。
斯かる機能は、例えば、信号処理部７がプレーヤ２からデータの再生を終了した旨を検知し、その旨をシステムコントローラ６に伝え、システムローラ６が再生用電力３の電力の供給を遮断（ＯＦＦ）するように制御を行う構成が挙げられる。
【００４８】
再生・記録装置１では、レコーダ４が記録用媒体１６にデータの記録を終了して記録用電源５がレコーダへの電力の供給を遮断（ＯＦＦ）する際に、再生用電源３のプレーヤ２への電力の供給を遮断（ＯＦＦ）する機能を付加することも可能である。
つまり、レコーダ４が記録用媒体１６にデータを記録し終わった際に、再生用電源３及び記録用電源５の電力の供給を共にＯＦＦとなる構成である。
【００４９】
斯かる二つの構成の再生・記録装置では、プレーヤ２とレコーダ４が別体の構成である場合には、レコーダ４の記録機能が終了することによって、プレーヤ２の側でも再生用電源３の電力の供給がタイムリーに遮断（ＯＦＦ）となって省電力を得ることが可能になると共に、再生用電源３及び記録用電源５の電力の供給を手動で停止することに比して操作がより一層簡便になっている。
【００５０】
再生・記録装置１は、プレーヤ２が再生しレコーダ４が記録する対象は音声であるが、映像、映像と音声の組み合わせであってもよい。
【図面の簡単な説明】
【００５１】
【図１】この発明の最良の実施の一形態の構成を説明するブロック図である。
【図２】図１に示す形態の要部機能を説明するフローチャートである。
【符号の説明】
【００５２】
１          ：再生・記録装置 
２          ：プレーヤ
３          ：再生用電源
４          ：レコーダ
５          ：記録用電源
６          ：システムコントローラ（電源遮断制御部を含む）
１１        ：再生用媒体
１３，１８  ：スピンドル・モータ
１４        ：ピックアップ
１５，２０  ：スレッド・モータ
１６        ：記録用媒体
１９        ：ライタ
【図１】
2007257761.tif 000002
【図２】
2007257761.tif 000003